(57)【要約】  多方向に作用する力をバランス良く受けることができ、かつ、取付作業性や部品コストを考慮したバッテリーポスト端子の固定構造を提供する。  傾斜面３４が形成された左右の伸張部３２Ｌ、３２Ｒ、および、左右の伸張部３２Ｌ、３２Ｒの間隔が狭まるように押圧することでバッテリーポストの側面を両側から挟み込む電極嵌合部２１を有するバッテリーポスト端子１０と、４つの脚部４２を有し、脚部４２のそれぞれに、傾斜面３４と同じ傾斜角度を有するスロープ４２Ａが形成され、スロープ４２Ａを傾斜面３４に接触させつつ上下に移動することで左右の伸張部３２Ｌ、３２Ｒを押圧するスロープ部材４０と、スロープ部材４０を上下に移動させるボルト５０とを備え、バッテリーポスト端子１０を垂直方向から見て、ねじ部５１を中心に、４つの脚部４２をねじ部５１の外周に沿って間隔を空けて配置している。
2014129534.tif 000002
【特許請求の範囲】
【請求項１】
傾斜面が形成された左右の伸張部、および、前記左右の伸張部と一体に形成され、前記左右の伸張部の間隔が狭まるように押圧することでバッテリーポストの側面を両側から挟み込む電極嵌合部を有するバッテリーポスト端子と、
４つの脚部を有し、前記脚部のそれぞれに、前記傾斜面と同じ傾斜角度を有するスロープが形成され、前記スロープを前記傾斜面に接触させつつ上下に移動することで前記左右の伸張部を押圧するスロープ部材と、
前記左右の伸張部の間にねじ部が上下に挿通され、締め付けることによって前記スロープ部材を上下に移動させるボルトと、を備え、
前記バッテリーポスト端子を垂直方向から見て、前記ねじ部を中心に、前記４つの脚部を前記ねじ部の外周に沿って間隔を空けて配置していることを特徴とするバッテリーポスト端子の固定構造。
【請求項２】
前記バッテリーポスト端子を正面から見て、前記左右の伸張部、前記電極嵌合部、および前記スロープ部材の脚部が、前記ボルトを挟んで左右対称に配置されており、かつ、前記スロープ部材の脚部が、前記ボルトを挟んで前後に対称に配置されていることを特徴とする請求項１に記載のバッテリーポスト端子の固定構造。
【請求項３】
前記傾斜面には、隣り合う前記脚部の間に向けて突出するボス部が形成されていることを特徴とする請求項１または請求項２に記載のバッテリーポスト端子の固定構造。
【請求項４】
前記ボルトを締め付けた状態で、前記脚部が前記ボルトの頭部に突き当たるように構成したことを特徴とする請求項１から請求項３のいずれか１つに記載のバッテリーポスト端子の固定構造。
【請求項５】
前記ボルトの頭部には、締結時に前記スロープ部材と当接する回転防止片が設けられていることを特徴とする請求項１から請求項４のいずれか１つに記載のバッテリーポスト端子の固定構造。
【請求項６】
前記伸張部の下側に、前記ボルトの頭部が当接する段差部を設けたことを特徴とする請求項１から請求項５のいずれか１つに記載のバッテリーポスト端子の固定構造。
【発明の詳細な説明】
【技術分野】
【０００１】
本発明は、車両に搭載されるバッテリーのバッテリーポストにバッテリーポスト端子を固定するためのバッテリーポスト端子の固定構造に関する。
【背景技術】
【０００２】
自動車などの車両に搭載されるバッテリーには、その上面から突出するバッテリーポストにバッテリーポスト端子が固定され、このバッテリーポスト端子に電力供給用のハーネス類が接続される。このバッテリーポストにバッテリーポスト端子を固定する構造としては、突出するバッテリーポストの側面を挟み込み、ボルトを横方向から挿通させて締め付け固定するものがある。しかしながら、ボルトを横方向から締め付ける構造では、部品点数が多いエンジンルーム内での締付作業が困難な場合がある。そのため、上下方向からボルトを挿通させて、バッテリーポスト端子の上側で締め付け固定が可能な構造が提案されている（例えば、特許文献１、２参照）。【０００３】
一方、近年では、ナビゲーション機器などの電装品、エンジンの電子制御機器類などが追加される傾向にあり、バッテリーに対する負荷が大きくなっている。さらに、昨今の環境問題に対応するために、アイドリングストップ機能を備えた車両も増えている。そのため、バッテリーの充電率の低下に伴う問題が懸念されており、バッテリーの状態を監視するバッテリー状態検知装置の設置が望まれている。このバッテリー状態検知装置の検知センサは、バッテリーポスト端子に取り付けられる。
【先行技術文献】
【特許文献】
【０００４】
【特許文献１】特開平１１−２６０５３号公報
【特許文献２】特開平１１−２６０５４号公報
【発明の概要】
【発明が解決しようとする課題】
【０００５】
検知センサは、車両走行中の振動または衝撃によって種々の方向に力が加わることになり、その力をバッテリーポスト端子が受けることになる。そのため、バッテリーポスト端子の固定構造としては、多方向に作用する力に対してバランス良く固定強度が確保されるものが望まれる。【０００６】
また、固定構造としては、取付作業性を考慮した場合、特許文献１、２で開示されているようにボルトを上側で締め付けるものがよい。さらに、バッテリーポスト端子は、部品コストを考慮して、部品加工が少ない簡素な構造であることが望ましい。しかしながら、上述した特許文献１の構造では、上側で締め付ける構造ではあるものの、バッテリーポスト端子の折り曲げ加工等が必要な複雑な形状であるため、より簡素な構造が望まれる。また、特許文献１、２の構造では、片側から締め付け力を作用させるものであるため、締め付け時のバランスが良いとは言えず、多方向に対してバランス良く固定強度を確保することができない。【０００７】
本発明は、上述した事情を鑑みてなされたものであり、その目的は、多方向に作用する力をバランス良く受けることができ、かつ、取付作業性や部品コストを考慮したバッテリーポスト端子の固定構造を提供することにある。
【課題を解決するための手段】
【０００８】
上述課題を解決するため、本発明のバッテリーポスト端子の固定構造は、傾斜面が形成された左右の伸張部、および、前記伸張部と一体に形成され、前記左右の伸張部の間隔が狭まるように押圧することでバッテリーポストの側面を両側から挟み込む電極嵌合部を有するバッテリーポスト端子と、４つの脚部を有し、前記脚部のそれぞれに、前記傾斜面と同じ傾斜角度を有するスロープが形成され、前記スロープを前記傾斜面に接触させつつ上下に移動することで前記左右の伸張部を押圧するスロープ部材と、前記左右の伸張部の間にねじ部が上下に挿通され、締め付けることによって前記スロープ部材を上下に移動させるボルトとを備え、前記バッテリーポスト端子を垂直方向から見て、前記ねじ部を中心に、前記４つの脚部を前記ねじ部の外周に沿って間隔を空けて配置している。【０００９】
このとき、前記バッテリーポスト端子を正面から見て、前記左右の伸張部、前記電極嵌合部、および前記スロープ部材の脚部が、挿入される前記ボルトを挟んで左右対称に配置されており、かつ、前記スロープ部材の脚部が、挿入される前記ボルトを挟んで前後に対称に配置されていることが望ましい。【００１０】
また、前記傾斜面には、隣り合う前記脚部の間に向けて突出するボス部が形成されていてもよい。【００１１】
また、前記ボルトを締め付けた状態で、前記脚部が前記ボルトの頭部に突き当たるように構成することもできる。【００１２】
さらに、前記ボルトの頭部には、締結時に前記スロープ部材と当接する回転防止片が設けられていてもよい。【００１３】
さらにまた、前記伸張部の下側に、前記ボルトの頭部が当接する段差部を設けることもできる。
【発明の効果】
【００１４】
本発明に係るバッテリーポスト端子の固定構造では、ボルトを締め付けた状態で、ボルトのねじ部を中心にして、４つの脚部が左右の伸張部を均等に押圧するようになる。そのため、バッテリーポストの側面を挟み込む電極嵌合部に多方向に力が作用して、左右の伸張部の間隔を広げようとしたとしても、４つの脚部でその力をバランス良く受けることができる。
また、ボルトのねじ部を上下に挿通させているので、バッテリーポスト端子の上側でナットを締め付けることができる。そのため、締付作業性がよい。
さらに、伸張部の傾斜面とスロープ部材のスロープの傾斜角度を合わせるようにするだけで良く、伸張部の部品加工が少ない。そのため、バッテリーポスト端子を簡素な構造にすることができる。
【図面の簡単な説明】
【００１５】
【図１】本発明の第１実施形態に係るバッテリーポスト端子の固定構造の分解斜視図である。
【図２】図１で示す各部品を組み付けたものを示す斜視図であって、ナット締結前の状態ある。
【図３】図１で示す各部品を組み付けたものを示す斜視図であって、ナット締結後の状態である。
【図４】図２のＡ１−Ａ１断面図であって、ナット締結前の状態である。
【図５】図３のＡ２−Ａ２断面図であって、ナット締結後の状態である。
【図６】本発明の第２実施形態に係るバッテリーポスト端子の固定構造の分解斜視図である。
【図７】図６で示す各部品を組み付けたものを示す斜視図であって、ナット締結後の状態である。
【図８】図７のＢ１−Ｂ１断面図である。
【図９】図７の側面図に対応するものであって、ナット締結前の状態である。
【図１０】第２実施形態の変形例を示す斜視図であって、ナット締結前の状態である。
【図１１】図１０の正面図である。
【図１２】図１１からスロープ部材およびナットを省略した状態を示す正面図である。
【図１３】図１０の右側面図である。
【図１４】本発明の第３実施形態に係るバッテリーポスト端子の固定構造の分解斜視図である。
【図１５】図１４で示す各部品を組み付けたものを示す斜視図であって、ナット締結後の状態である。
【図１６】図１５のＣ１−Ｃ１断面図である。
【図１７】図１５のＣ２―Ｃ２断面図である。
【発明を実施するための形態】
【００１６】
（第１実施形態）
以下、本発明の第１実施形態に係るバッテリーポスト端子の固定構造１について、図面を用いて詳細に説明する。図１は、バッテリーポスト端子の固定構造の分解斜視図である。また、図２は、図１で示す各部品を組み付けたものを示す斜視図であって、ナット締結前の状態、図３は、ナット締結後の状態である。さらに、図４は、図２のＡ１−Ａ１断面図であって、ナット締結前の状態、図５は、図３のＡ２−Ａ２断面図であって、ナット締結後の状態である。なお、以下の説明で使用する前後、左右（水平）、上下（垂直）、手前側、奥側の方向は、正面側（図４または図５の紙面手前側）から見た方向をいうものとする。
【００１７】
バッテリーポスト端子の固定構造１は、図１に示すように、バッテリーポスト端子１０およびスロープ部材４０をボルト５０およびナット６０を用いて上下方向に締結して組み付けるものである。
【００１８】
バッテリーポスト端子１０は、導電性を有する金属材料で形成されており、図１〜図３に示すように、奥側に位置する接続部１１と、この接続部１１の手前側に位置する電極嵌合部２１と、この電極嵌合部２１よりもさらに手前側に位置する固定部３１とが一体に構成されている。
【００１９】
接続部１１は、バッテリー状態検出装置の検知センサ（図示せず）のケース内に組み込まれる。電装品用のハーネスは、この検知センサを間に介在させる態様で取り付けられる。この接続部１１の形状は、検知センサ内での取付構造に合わせて任意に形成されている。また、この接続部１１は、検知センサを支持する構造部材としても機能している。
【００２０】
電極嵌合部２１は、バッテリーポスト端子１０をバッテリーポスト（図示せず）に固定するためのものである。この電極嵌合部２１は、錐台形状のバッテリーポストの形状に合わせて錐台形状に形成されており、その中央には、図１〜図３に示すように、上下に貫通する嵌合穴２２が形成されている。この嵌合穴２２の内周面２２Ａは、バッテリーポストの傾斜する外周面と面で接触するように傾斜している。また、嵌合穴２２の内周面２２Ａには、周方向に間隔を空けて複数の溝２４が設けられており、バッテリーポストの外周面を挟み込むためのグリップ力を高めている。この電極嵌合部２１は、バッテリーポストの上側から嵌合穴２２を被せるようにして取り付けられる。
【００２１】
また、電極嵌合部２１は、奥側の部分で接続部１１と一体に連続しているが、手前側の部分では、嵌合穴２２を挟んで左右に分岐（分割）した形状になっている。固定部３１は、この左右に分岐した先端部２３Ｌ、２３Ｒのそれぞれから手前側に延びるように形成されている。
【００２２】
固定部３１は、図１に示すように、左側の先端部２３Ｌから手前側に延びる左側伸張部３２Ｌと、この左側伸張部３２Ｌと中心線Ｓを挟んで左右に間隔を空けて配置され、右側の先端部２３Ｒから手前側に延びる右側伸張部３２Ｒとで構成されている。なお、固定部３１は、中心線Ｓを挟んで左右対称な形状であり、以下の説明では固定部３１の左側の構造についてのみ説明し、右側の構造については省略する。
【００２３】
左側伸張部３２Ｌには、図４または図５に示す手前側から見て、下側から上側に向かうに従い中心線Ｓに近づくように右上がりに傾斜する傾斜面３４が形成されている。また、傾斜面３４の前後方向における中央上部には、図１に示すように、内側から外側に向けて楕円状に拡開されたボス部３５が形成されている。このボス部３５の位置は、図２および図３に示すように、詳細は後述するボルト５０が取り付けられた状態で、そのねじ部５１が挿通される位置と対応している。また、このボス部３５は、固定部３１に後述するスロープ部材４０が組み付けられた状態で、図２および図３に示すように、前後に隣り合う脚部４２の間に向けて外方向へ突出するようになっている。
【００２４】
また、左側伸張部３２Ｌは弾性を有しており、電極嵌合部２１の奥側の部分を基端部として左右に弾性移動するようになっている。この左側伸張部３２Ｌの手前側先端には、左方向に向けて直角に折り曲げた折り返し部３３Ｌが形成されている。この折り返し部３３Ｌは、傾斜面３４の前後方向の長さ（先端部２３Ｌから折り返し部３３Ｌまでの長さ）が、後述するスロープ部材４０の前後方向の長さと略一致するように折り曲げられている。
【００２５】
スロープ部材４０は、図１に示すように、バッテリーポスト端子１０の固定部３１の上側から被せるように取り付けられる。このスロープ部材４０は、略四角形状の天面部４１と、この天面部４１の４つの角部のそれぞれから下側に延びる４つの脚部４２とを有している。天面部４１の辺の長さは、図１に示すように、左右方向よりも前後方向の辺が短く形成されている。また、天面部４１には、その中央部に挿通穴４１Ａが形成されており、この挿通穴４１Ａには、後述するボルト５０のねじ部５１が挿通される。４つの脚部４２は、この挿通穴４１Ａを中心にして前後および左右に対称に配置されており、脚部４２の前後方向の間隔が、左右方向の脚部の間隔よりも狭くなっている。また、天面部４１の上面は、ナット６０が安定して締め付けられるように平面状に形成されている。
【００２６】
４つの脚部４２の左右の内側には、図４および図５に示すように、スロープ４２Ａがそれぞれ形成されている。このスロープ４２Ａは、左右の伸張部３２Ｌ、３２Ｒの傾斜面３４と同じ傾斜角度で形成されており、スロープ部材４０を固定部３１に組み付けた状態で、傾斜面３４とスロープ４２Ａが面で接触するようになる。
【００２７】
４つの脚部４２の下端は、図５に示すように、ナット６０を完全に締め付けた状態で、詳細は後述するボルト５０の頭部５２の上面に突き当たるようにしている。すなわち、この４つの脚部４２の長さは、ナット６０を締め付けたときの締付トルクとの関係で決定されており、４つの脚部４２が突き当たるまで締め込むようにすることで、過トルクを防止するようにしている。
【００２８】
また、スロープ部材４０の４つの脚部４２は、スロープ部材４０が取り付けられた状態を垂直方向から見て、ボルト５０のねじ部５１を中心に、ねじ部５１の外周に沿って間隔を空けて配置され、ねじ部５１の外側を囲むようにほぼ均等にバランスよく配置されている。
【００２９】
ボルト５０は、図１に示すように、上下方向に延在するねじ部５１と、このねじ部５１の下側に位置する頭部５２とで構成されている。この頭部５２の左右の両端には、頭部５２から上側に向かって起立する回転防止片５２Ａがそれぞれ設けられている。この回転防止片５２Ａの対向する内側の面は、図４および図５に示すように、ボルト５０が組み付けられた状態で、スロープ部材４０の外側下部とそれぞれ当接するようになっている。これにより、ナット６０の締結時にボルト５０が締め付け方向に供回りしないようにしている。
【００３０】
次に、本発明の第１実施形態における固定構造の作用について説明する。
ナット６０を締結する前の状態は、図２および図４に示すように、固定部３１の上にスロープ部材４０が置かれた状態であり、スロープ部材４０のスロープ４２Ａと、固定部３１の傾斜面３４とが面で接触している。また、ボルト５０が固定部３１の下側から挿通され、ねじ部５１が左右の伸張部３２Ｌ、３２Ｒの間（より詳細には、左右のボス部３５の間）を通って、スロープ部材４０の挿通穴４１Ａに挿通され、ナット６０で仮締めされている。
【００３１】
スロープ部材４０の左右方向の位置は、スロープ４２Ａと傾斜面３４がそれぞれが面で接触することで規制される。また、前後方向の位置は、スロープ部材４０の前後方向の外周面と固定部３１の折り返し部３３Ｌ、３３Ｒとがそれぞれ接することで規制される。また、前後方向の位置は、脚部４２の前後方向の内側面とボス部３５とによっても規制されている。一方、ボルト５０は、スロープ部材４０の左右方向の外周面と回転防止片５２Ａとが接することによってその位置が規制されている。
【００３２】
この状態から、ナット６０をスロープ部材４０の上側で締め付けると、図３および図５に示すように、スロープ部材４０は、スロープ４２Ａと傾斜面３４との左右での面接触によって案内されながら下側Ｘ方向（ボルト５０の締付方向。図５参照）に移動する。また、スロープ４２Ａは、傾斜面３４を内側Ｙ方向（図５参照）に押圧する。これにより、左右の伸張部３２Ｌ、３２Ｒの左右方向の間隔が狭まるように内側Ｙ方向へ弾性変形し、電極嵌合部２１の嵌合穴２２内のバッテリーポストが締め付け固定される。
【００３３】
このとき、傾斜面３４とスロープ４２Ａとは、面同士で接触しながら伸張部３２Ｌ、３２Ｒを押圧するので、伸張部３２Ｌ、３２Ｒが押圧力でねじれることがない。そのため、ナット６０の締結力が伸張部３２Ｌ、３２Ｒに安定して伝わるようになり、伸張部３２Ｌ、３２Ｒがバランス良く押圧されるようになる。
【００３４】
また、４つの脚部４２は、バッテリーポスト端子１０を垂直方向から見て、ボルト５０のねじ部５１を中心に、ねじ部５１の外周に沿って間隔を空けて配置し、ねじ部５１の外側を囲むようにほぼ均等にバランスよく配置されているため、左右の伸張部３２Ｌ、３２Ｒをほぼ均等な力で内側Ｙ方向へと押圧する。これにより、ボルト５０とナット６０の締結後のねじ部５１に多方向から力が作用したとしても、どの方向に対しても均等な固定強度が確保できるようになる。
【００３５】
本発明の第１実施形態に係るバッテリーポスト端子の固定構造１によれば、バッテリーポスト端子１０を垂直方向から見て、ねじ部５１を中心に、４つの脚部４２をねじ部５１の外周に沿って間隔を空けて配置しているので、ナット６０を締結した状態で、ボルト５０のねじ部５１を中心にして、４つの脚部４２が左右の伸張部３２Ｌ、３２Ｒを均等に押圧するようになる。そのため、バッテリーポストの側面を挟み込む電極嵌合部２１に多方向に力が作用して、左右の伸張部３２Ｌ、３２Ｒの隙間を広げようとしたとしても、４つの脚部４２でその力をバランス良く受けることができる。
【００３６】
また、ボルト５０のねじ部５１を上下に挿通させているので、バッテリーポスト端子１０の上側でナット６０を締め付けることができる。そのため、バッテリーポストにバッテリーポスト端子１０を固定する作業をバッテリーポスト端子１０の上側で行うことができるため、作業性がよい。
【００３７】
さらに、伸張部３２Ｌ、３２Ｒの傾斜面３４とスロープ部材４０のスロープ４２Ａの傾斜角度を合わせるようにするだけで良く、伸張部３２Ｌ、３２Ｒの部品加工が少なくてすむ。そのため、バッテリーポスト端子１０を簡素な構造にすることができる。
【００３８】
また、バッテリーポスト端子１０を正面から見て、左右の伸張部３２Ｌ、３２Ｒ、電極嵌合部２１、およびスロープ部材４０の４つの脚部４２が、挿通されるボルト５０のねじ部５１を挟んで左右対称に配置されているので、ナット６０を締め付ける締付力を左右の伸張部３２Ｌ、３２Ｒおよび電極嵌合部２１に均等にバランス良く作用させることができる。また、４つの脚部４２は、ねじ部５１を挟んで前後に対称になるように配置されているので、前後方向における締付バランスもよい。そのため、前後、左右に安定した固定強度が得られるようになる。さらに、左右の伸張部３２Ｌ、３２Ｒのそれぞれの傾斜面３４は、スロープ部材４０の移動方向である上側から下側に向かうに従い左右方向の外側に広がるように傾斜しているので、前側の２つの脚部４２と後側の２つの脚部４２で伸張部３２Ｌ、３２Ｒを同じ締め付け力で水平内側に移動させることができる。
【００３９】
さらに、スロープ部材４０は、脚部４２の前後方向の間隔を、左右方向の脚部の間隔よりも狭く（長方形配置）しているので、前側と後側の脚部に作用する力の偏りが小さくなる。すなわち、伸張部３２Ｌ、３２Ｒに作用する力は、前後の脚部４２への配分として、後側の脚部４２よりも前側の脚部４２に作用する力の方が大きくなり、この配分される力は、前後の脚部４２の間隔が小さくなるほど、前後での偏りが小さくなる。そのため、間隔を狭くすることで、４つの脚部４２がバランスよく力を受けられるようになる。
【００４０】
さらに、傾斜面３４には、隣り合う脚部４２の間に向けて突出するボス部３５が形成されているので、このボス部３５を間に挟んでスロープ部材４０を配置することで、スロープ部材４０の位置決めを容易に行うことができる。また、ナット６０を締結する際に、脚部４２とボス部３５が当接することで、スロープ部材４０がナット６０と一緒に供回りするのを防止することができる。さらに、伸張部３２Ｌ、３２Ｒの剛性を高めることができる。
【００４１】
また、ナット６０を締結した状態で、脚部４２がボルト５０の頭部５２の上面に突き当たるようにしているので、作業者がナット６０を締結する際に、脚部４２がボルト５０の頭部に突き当たるまで締め付ければ所定の締付トルクが出せるようにすることができる。そのため、過トルクを防止することができ、かつ、作業者によって締付トルクがばらつくことがなくなる。さらに、トルク管理が容易なため、作業性が向上する。
【００４２】
さらにまた、ボルト５０の頭部５２には、ナット６０締結時にスロープ部材４０と当接する回転防止片５２Ａが形成されているので、スロープ部材４０と回転防止片５２Ａが当接することで、ボルト５０がナット６０と一緒に供回りするのを防止することができる。また、ナット６０を締め付けた際に、ボルト５０の頭部５２上面と当接する脚部４２が、この締付力によって左右方向へ変形するのを防止するようになる。
【００４３】
以上、本発明の第１実施形態に係るバッテリーポスト端子の固定構造１について述べたが、本発明は既述の実施形態に限定されるものではなく、本発明の技術思想に基づいて各種の変形および変更が可能である。
【００４４】
例えば、第１実施形態では、ボルト５０を下側から上側に向けて挿入し、その上側でナット６０を締め付けるようにしているが、ナットとボルトを上下逆にして構成することもできる。例えば、下側に溶接等でナットを固定しておき、ボルトを上側から挿入し、このボルトを締結するようにする。この構造によっても、ボルトを上下方向に挿通することができ、作業者は、バッテリーポスト端子１０の上側で締結作業を行うことができる。
【００４５】
また、第１実施形態では、スロープ部材４０を伸張部３２Ｌ、３２Ｒの上側から被せるように取り付けているが、伸張部３２Ｌ、３２Ｒの下側から取り付けるようにして、スロープ部材を上側に引き上げるようにしてもよい。この場合、伸張部３２Ｌ、３２Ｒの傾斜面３４およびスロープ部材４０のスロープ４２Ａの傾斜をそれぞれ上下逆にして形成すればよい。この構造であっても、多方向に作用する力をバランス良く受けることができる。
【００４６】
（第２実施形態）
以下、本発明の第２実施形態に係るバッテリーポスト端子の固定構造１０１について、図面を用いて詳細に説明する。図６は、本発明の第２実施形態に係るバッテリーポスト端子の固定構造の分解斜視図である。図７は、図６で示す各部品を組み付けたものを示す斜視図であって、ナット締結後の状態である。また、図８は、図７のＢ１−Ｂ１断面図であり、図９は、図７の側面図に対応するものであって、ナット締結前の状態である。なお、以下の説明で使用する前後、左右（水平）、上下（垂直）、手前側、奥側の方向は、正面側（図８または図９の紙面右側）から見た方向をいうものとする。
また、以下の説明では、第１実施形態で説明したものと異なる構造についてのみ説明し、同じ構造については、説明または図中に同一の符号を付すことでその詳細説明を省略する。
【００４７】
バッテリーポスト端子の固定構造１０１は、図１に示すように、バッテリーポスト端子１１０と、スロープ部材４０と、これらのバッテリーポスト端子１１０およびスロープ部材４０をボルト１５０およびナット６０を用いて上下方向に締結して組み付けるものである。
【００４８】
バッテリーポスト端子１１０は、図６〜図９に示すように、奥側に位置する接続部１１１と、この接続部１１１の手前側に位置する電極嵌合部２１と、この電極嵌合部２１よりもさらに手前側に位置する固定部１３１とが一体に構成されている。
【００４９】
接続部１１１は、第１実施形態のものと比べて奥行き方向に長尺に形成されているが、検知センサ（図示せず）のケース内に組み込まれ、電源を供給する機能、および、検知センサを支持する構造部材としての機能は同じである。
【００５０】
固定部１３１は、電極嵌合部２１の左右に分岐した先端部２３Ｌ、２３Ｒのそれぞれから手前側に延びており、左側伸張部１３２Ｌ、右側伸張部１３２Ｒとで構成されている。これらの左側伸張部１３２Ｌ、右側伸張部１３２Ｒの下側には、電極嵌合部２１の下面１２１Ａ（図９参照）よりも上側へ切り欠かれた段差部１３７が形成されている。この段差部１３７は、図９に示すように、左側伸張部１３２Ｌ、右側伸張部１３２Ｒの前後方向の全長に亘って形成されており、詳細は後述するボルト１５０の頭部１５２の全部が段差部１３７に入り込む形状になっている。
【００５１】
また、左側伸張部１３２Ｌ、右側伸張部１３２Ｒのそれぞれの傾斜面３４には、その上端から下端まで上下方向に連続するボス部１３５が形成されている。
【００５２】
ボルト１５０は、図６に示すように、ねじ部５１と頭部１５２とで構成されている。この頭部１５２は、第１実施形態の頭部５２と比較して、回転防止片５２Ａが設けられていない。しかしながら、この頭部１５２は、図９に示すように、ボルト１５０を締め付けるときに、上述した段差部１３７内に入り込み、頭部１５２の前側面が段差部１３７の側面（電極嵌合部２１の下側の側面）に当接することで、ボルト１５０が供回りしないようになっている。
【００５３】
本発明の第２実施形態に係るバッテリーポスト端子の固定構造１０１によれば、左右の伸張部１３２Ｌ、１３２Ｒに、電極嵌合部２１とボルト１５０の頭部１５２が当接する段差部１３７を設けているので、ボルト締結時に、ボルトが締結方向に供回りしないようにすることができる。そのため、ボルト１５０の頭部１５２に回転防止片５２Ａを設ける必要がなく、ボルト１５０を簡単な構造にすることができる。
【００５４】
また、ボス部１３５は、傾斜面３４の上端から下端まで上下方向に連続しているので、スロープ部材４０の位置決めになると共に、スロープ部材４０が上下方向に移動する全長に亘ってこのスロープ部材４０を上下に案内することができる。
【００５５】
以上、本発明の第２実施形態に係るバッテリーポスト端子の固定構造１０１について述べたが、本発明は既述の実施形態に限定されるものではなく、本発明の技術思想に基づいて各種の変形および変更が可能である。
図１０は、第２実施形態の変形例を示す斜視図であって、ナット締結前の状態である。また、図１１は、図１０の正面図、図１２は、図１１からスロープ部材およびナットを省略した状態を示す正面図、図１３は、図１０の右側面図である。なお、第２実施形態と同じ構造については、説明または図中に同一の符号を付すことで詳細説明を省略する。
【００５６】
上述した第２実施形態では、バッテリーポスト端子１１０の伸張部１３２Ｌ、１３２Ｒの手前側先端分に位置する折り返し部３３Ｌ、３３Ｒを左右外側方向に向けてそれぞれ折り返されているが、第２実施形態の変形例におけるバッテリーポスト端子の固定構造３０１では、折り返し部３３３Ｌ、３３３Ｒが伸張部３３２Ｌ、３３２Ｒの先端で左右内側方向に折り返して構成されている。
【００５７】
左側の折り返し部３３３Ｌは、図１０〜図１２に示すように、左側の伸張部３３２Ｌの先端部上側を内側方向に折り返されている。一方、右側の折り返し部３３３Ｒは、右側の伸張部３３２Ｒの先端分下側を内側に折り返されており、左右の折り返し部３３３Ｌ、３３３Ｒが上下方向で隙間を空けて干渉しないように構成されている。固定部３３１は、この左右の折り返し部３３３Ｌ、３３３Ｒを除いて、左右の伸張部３３２Ｌ、３３２Ｒが中心線Ｓを挟んで左右対称な構造になっている（主に、図１２参照）。
【００５８】
左右の折り返し部３３３Ｌ、３３３Ｒを内側にそれぞれ折り返すことによって、バッテリーポスト端子３１０（特に、伸張部全体）をできるだけ凹凸の少ない外形状にすることができる。そのため、複数のバッテリーポスト端子３１０をメッキ槽に入れてメッキをする際に、この折り返し部３３３Ｌ、３３３Ｒが、他のバッテリーポスト端子３１０と絡まないようになり、メッキ作業を効率的に行うことができる。
【００５９】
なお、スロープ部材４０を組み付ける際に、このスロープ部材４０の前後方向の位置決めは、伸張部３３２Ｌ、３３２Ｒの傾斜面３４に設けたボス部１３５に脚部４２の内側面を当接させることによって行なわれる。
【００６０】
（第３実施形態）
以下、本発明の第３実施形態に係るバッテリーポスト端子の固定構造１０１について、図面を用いて詳細に説明する。図１４は、本発明の第３実施形態に係るバッテリーポスト端子の固定構造の分解斜視図である。図１５は、図１４で示す各部品を組み付けたものを示す斜視図であって、ナット締結後の状態である。また、図１６は、図１５のＣ１−Ｃ１断面図であり、図１７は、図１５のＣ２−Ｃ２断面図である。なお、以下の説明で使用する前後、左右（水平）、上下（垂直）、手前側、奥側の方向は、正面側（図１７の紙面手前側）から見た方向をいうものとする。
また、第１実施形態および第２実施形態と同じ構造については、説明または図中に同一の符号を付す。
【００６１】
この第３実施形態は、第２実施形態の構成に、第１実施形態のボルト５０を使用したものである。そのため、以下の説明では、このボルト５０の部分についてのみ説明し、他の構造についての詳細説明を省略する。
【００６２】
バッテリーポスト端子の固定構造２０１で使用されるバッテリーポスト端子１１０には、図１４および図１７に示すように、第２実施形態で説明した段差部１３７が形成されている。ボルト５０の頭部５２は、この段差部１３７内に入り込み、頭部５２の前側面が段差部１３７の側面（電極嵌合部２１の下側の側面）に当接することで、ボルト５０が供回りしないようになっている。また、頭部５２の左右の回転防止片５２Ａは、組み立てられた状態で、スロープ部材４０の外側下部とそれぞれ当接するようになっている。これによっても、ナット６０の締結時にボルト５０が締め付け方向に供回りしないようになる。
【００６３】
本発明の第３実施形態に係るバッテリーポスト端子の固定構造２０１によれば、段差部１３７と回転防止片５２Ａによる３点でボルト５０が供回りしないように構成されているので、第２実施形態の構成と比較して、締付作業をより確実にかつ容易に行うことができる。
【００６４】
以上、本発明の第３実施形態に係るバッテリーポスト端子の固定構造２０１について述べたが、本発明は既述の実施形態に限定されるものではなく、本発明の技術思想に基づいて各種の変形および変更が可能である。
例えば、第２実施形態の変形例に記載したように、折り返し部３３３Ｌ、３３３Ｒを左右内側方向に折り返すように構成して、メッキ槽内でメッキを行うときに、複数のバッテリーポスト端子同士が絡まないようにすることもできる。
【符号の説明】
【００６５】
１、１０１、２０１、３０１  バッテリーポスト端子の固定構造
１０、１１０  バッテリーポスト端子
１１、１１１  接続部
２１  電極嵌合部
２２  嵌合穴
２２Ａ  内周面
２３Ｌ、２３Ｒ  先端部
２４  溝
３１、１３１、３３１  固定部
３２Ｌ、１３２Ｌ、３３２Ｌ  左側伸張部
３２Ｒ、１３２Ｒ、３３２Ｒ  右側伸張部
３３Ｌ、３３Ｒ、３３３Ｌ、３３３Ｒ  折り返し部
３４  傾斜面
３５、１３５  ボス部
４０  スロープ部材
４１  天面部
４１Ａ  挿通穴
４２  脚部
４２Ａ  スロープ
５０、１５０  ボルト
５１  ねじ部
５２、１５２  頭部
５２Ａ  回転防止片
６０  ナット
１２１Ａ  電極嵌合部の下面
１３７  段差部
Ｓ  中心線
Ｘ、Ｙ  方向
【図１】
2014129534.tif 000003
【図２】
2014129534.tif 000004
【図３】
2014129534.tif 000005
【図４】
2014129534.tif 000006
【図５】
2014129534.tif 000007
【図６】
2014129534.tif 000008
【図７】
2014129534.tif 000009
【図８】
2014129534.tif 000010
【図９】
2014129534.tif 000011
【図１０】
2014129534.tif 000012
【図１１】
2014129534.tif 000013
【図１２】
2014129534.tif 000014
【図１３】
2014129534.tif 000015
【図１４】
2014129534.tif 000016
【図１５】
2014129534.tif 000017
【図１６】
2014129534.tif 000018
【図１７】
2014129534.tif 000019
【国際調査報告】
2014129534.tif 000020
2014129534.tif 000021
2014129534.tif 000022
2014129534.tif 000023